(57)【要約】【課題】使用性および機能性等に優れた作用効果を発揮する釣り用浮きを提供する。【解決手段】それぞれの中心に釣り糸を挿通するための糸通し孔３，６を有する親浮き１および子浮き２からなる。子浮き２の上部に設けた凹状の収容部５内に親浮き１を収容して合体可能に構成する。親浮き１は水面に浮上し、子浮き２は水中に沈下するように親浮き１および子浮き２の浮力が設定される。子浮き２の収容部５は概略お椀状に形成され、収容部５内に親浮き１が収容された合体状態でキャスティングされるとともに、その着水後、子浮き２は親浮きから離脱して水中に沈下する。沈下した子浮きが魚の生息層に餌を運ぶため釣果が期待できる。【選択図】        図１
2004187558.tif 000002
【特許請求の範囲】
【請求項１】
それぞれの中心に釣り糸を挿通するための糸通し孔を有する親浮きおよび子浮きからなり、前記子浮きの上部に設けた凹状の収容部内に前記親浮きを収容して合体可能に構成したことを特徴とする釣り用浮き。
【請求項２】
前記親浮きは水面に浮上し、前記子浮きは水中に沈下するように前記親浮きおよび前記子浮きの浮力が設定されることを特徴とする請求項１に記載の釣り用浮き。
【請求項３】
前記子浮きの収容部は概略お椀状に形成され、該収容部内に前記親浮きが収容された合体状態でキャスティングされるとともに、その着水後、前記子浮きは前記親浮きから離脱して水中に沈下することを特徴とする請求項１または２に記載の釣り用浮き。
【請求項４】
前記子浮きの収容部は概略お椀状に形成され、水中に入るとそのお椀形状が潮の流れを受けて、釣り糸を引きつつ沈下することを特徴とする請求項１〜３のいずれか１項に記載の釣り用浮き。
【発明の詳細な説明】
【０００１】
【発明の属する技術分野】
本発明は、海釣り等で使用する釣り用浮き、特に中通し浮きによって構成される親子合体浮きに関するものである。
【０００２】
【従来の技術】
たとえば、磯釣り等で中通し浮きを使用する釣りにおいて、図４に示すような釣り用仕掛け１０を使用する。この釣り用仕掛け１０の代表的構成例として道糸（釣り糸）１１に浮き止め糸１２を結び、順次シモリ玉１３、当たり浮き１４、クッション（Ｏクッション）１５、水中浮き１６およびクッション（Ｔクッション）１７にそれぞれ挿通させるというものである。
【０００３】
この例の釣り用仕掛け１０は所謂「遊動仕掛け」と称し、当たり浮き１４および水中浮き１６が道糸１１に沿って所定範囲で移動可能になっている。また道糸１１の先端には、所謂サルカン１８を介してハリス１９が結合する。ハリス１９の先端には釣り針２０が設けられると共に、その途中適所にガン玉２１が付設される。
【０００４】
【発明が解決しようとする課題】
この例の釣り用仕掛け１０のように当たり浮き１４と水中浮き１６をセットにして、あるいは２つ以上の浮きを持つ場合、海水等への投入時に各浮き（たとえば当たり浮き１４と水中浮き１６）ごとに重力および外力が作用する。このため図５のように空中で各浮きがばらけた状態で飛ぶため、各浮きの動きが不規則になりハリス１９が絡まり易くなる。また、絡まった場合には水中に仕掛け１０を適正にセットすることができなくなることが多かった。
【０００５】
また、仕掛け１０の浮きが２つに分かれて飛ぶため、空気抵抗により遠投することができない。そのうえ不規則にふらついて飛ぶため、狙ったポイントに落下させるのが極めて難しくなる。
【０００６】
さらに、従来の仕掛けは水中浮き１６が当たり浮き１４よりも小さなものが多く、潮流れに対する抵抗面積の違いから魚の生息する深みの流れに乗らず水面の流れに乗ってしまうため、釣果につながらないことが多かった。
【０００７】
本発明はかかる実情に鑑み、使用性および機能性等に優れた作用効果を発揮する釣り用浮きを提供することを目的とする。
【０００８】
【課題を解決するための手段】
本発明の釣り用浮きは、それぞれの中心に釣り糸を挿通するための糸通し孔を有する親浮きおよび子浮きからなり、前記子浮きの上部に設けた凹状の収容部内に前記親浮きを収容して合体可能に構成したことを特徴とする。
【０００９】
また、本発明の釣り用浮きにおいて、前記親浮きは水面に浮上し、前記子浮きは水中に沈下するように前記親浮きおよび前記子浮きの浮力が設定されることを特徴とする。
【００１０】
また、本発明の釣り用浮きにおいて、前記子浮きの収容部は概略お椀状に形成され、該収容部内に前記親浮きが収容された合体状態でキャスティングされるとともに、その着水後、前記子浮きは前記親浮きから離脱して水中に沈下することを特徴とする。
【００１１】
また、本発明の釣り用浮きにおいて、前記子浮きの収容部は概略お椀状に形成され、水中に入るとそのお椀形状が潮の流れを受けて、釣り糸を引きつつ沈下することを特徴とする。
【００１２】
本発明によれば、子浮きの収容部内に親浮きを収容して合体する構造となっているため、キャスティング時等には２つの浮きが一体となって作用する。これにより２つがばらけないで飛ぶようにすることで、糸絡みを有効に防ぐことができるとともに、空気抵抗も激減するため遠投に極めて有利である。
【００１３】
また、本発明によれば、仕掛けが投入され着水した後は、子浮きは親浮きから離脱して水中に沈下し、ウキ止め糸で予め設定した距離だけ離れると、そのお椀形状部で潮の流れを受け、水面の親浮きを引っぱる。水面の流れの向きはほとんどの場合、子浮きのある深みの流れと異なる。仕掛けは、水面に浮く親浮きの引く力と水中の子浮きの引く力とが相互に作用し、引き合いながら全体として流れ抵抗の大きい子浮きのとらえた流れに乗って流れる。その結果、魚の生息層に自然に餌を流し込むことができ、釣果を期待することができる。
【００１４】
【発明の実施の形態】
以下、図面に基づき、従来例と実質的に同一または対応する部材には同一符号を用いて、本発明による釣り用浮きの好適な実施の形態を説明する。
図１は、本発明による釣り用浮きの全体構成例を示している。この実施形態において親浮き１と子浮き２を含んでなる「親子浮き」等と称する浮きである。
【００１５】
親浮き１はその基本構成において、この例では合成樹脂等の材料を用いて、図示例のように概略卵型あるいはボール型等の形状に形成される。また、親浮き１は、浮き本体の中心に釣り糸１１を挿通するための糸通し孔３を有する中通し浮きとして構成される。
【００１６】
親浮き１の浮き本体は、上部と下部で分割形成したものを一体化することにより構成することができる。親浮き１の底部には、糸通し孔３の周囲に錘４が配置固定され、親浮き１には適正な浮力が生じるように構成されている。
【００１７】
子浮き２はその基本構成において、この例では合成樹脂等の材料を用いて、図示例のように概略卵型あるいはボール型等の形状に形成されるが、そのボール型の上部には凹状の概略お椀状に形成された収容部５が設けられる。この収容部５内に親浮き１を収容して合体可能に構成される。なお、収容部５の内面は、イエローグリーン等の適宜の色彩で塗装される。
【００１８】
子浮き２の浮き本体は、収容部５部分を分割形成したものを一体化することにより構成することができる。また、子浮き２は、浮き本体の中心に釣り糸１１を挿通するための糸通し孔６を有する中通し浮きとして構成される。子浮き２の底部には、糸通し孔６の周囲に錘７が配置固定され、水中に様々なスピードで沈下するように子浮き２の浮力が設定される。
【００１９】
ここで、本発明の浮きを用いて、図２に示すような釣り用仕掛け１０が構成される。この釣り用仕掛け１０において、道糸１１に浮き止め糸１２を結び、順次シモリ玉１３、親浮き１および子浮き２、ウキゴム２２が挿通される。ウキゴム２２は挿通孔にからまん棒２３を挿入することにより道糸に挟着され、クッションおよびストッパの役目を果たす。親浮き１および子浮き２は、道糸１１に沿って所定範囲で移動可能になっている。道糸１１の先端には、直結されたハリス１９が結合し、該ハリス１９の先端には釣り針２０が設けられると共に、その途中適所にガン玉２１が付設される。
【００２０】
上記構成において本発明によれば、親浮き１は、子浮き２の上部に設けられた収容部５に収容される構造となっている。これにより、たとえば海水等への投入時等には図３に示すように、親浮き１および子浮き２が合体状態で作用し、すなわち親浮き１および子浮き２がばらけないで飛ぶようにすることで、糸絡みを有効に防ぐことができる。また、２つの浮きが一体化していることで、空気抵抗が減少して遠投に極めて有利であるばかりか、狙ったポイントに正確に落下させることができる。これらにより結果的に高い釣果を期待することができる。
【００２１】
投入後着水すると、子浮き２は親浮き１から離脱して水中に沈下する。水面に浮く親浮き１と水中の子浮き２とが相互に引き合いながら、仕掛け全体としてバランスのとれた動きが得られる。特に、子浮き２のお椀状に形成された収容部５が魚の生息層の潮を捕らえ、親浮き１よりも強い力で引く。これによりたとえば２枚潮等の風の影響を受け易い水面の潮流れの向きや早さと、魚の生息層の流れの向きや早さが異なる場合には、水面付近の潮の流れ方向に仕掛けを流されることなく、魚の生息層の流れに仕掛けを乗せることができ、釣果を高めることができる。
【００２２】
また、子浮き２を水面下に沈めたときに、凹状の収容部５の内面に塗られた色彩（たとえばイエローグリーン等）が釣り人によく見え、魚の生息層の流れ方向を正確に把握ことが可能になる。
さらに、親浮き１および子浮き２とも複数種類の浮力に設定することができ、両者の組合せで極めて広いバリエーションを構成する。
【００２３】
上記のように本発明を好適な実施形態について説明したが、本発明はそれらの実施形態にのみ限定されるものでなく、本発明の範囲内で必要に応じて適宜変更等が可能である。
たとえば、親浮き１あるいは子浮き２の形成材料として合成樹脂等の例を説明したが、木、コルク、金属、発泡樹脂等の材料を用いることができる。
また、形状についても最大径が上部、中央部、下部に偏った形やひょうたんのようにくびれの入った形、変形した特異な形など様々な形にも適用することができる。
【００２４】
【発明の効果】
以上説明したように本発明によれば、２つの浮きが空中では１つの浮きのように合体し、また水中では分離するようにしたことで糸絡みを有効に防ぎ、使用性や取扱性に優れた浮きを実現する。また、遠投に極めて有利でポイントを正確に狙える釣り用浮きを実現することができ、さらに子浮きのお椀形状で潮の流れをつかみ、確実に魚の生息層の流れに仕掛けを乗せ、自然に餌を届けられることで、高い釣果を期待することができる等の利点を有している。
【図面の簡単な説明】
【図１】本発明の釣り用浮きの実施形態における全体構成例を示す断面図である。
【図２】本発明の浮きを用いて構成した釣り用仕掛けの例を示す図である。
【図３】本発明の釣り用浮きの実施形態における投入時の様子を示す図である。
【図４】釣り用仕掛けの構成例を示す図である。
【図５】従来の仕掛けの投入時のトラブル例を示す図である
【符号の説明】
１    親浮き
２    子浮き
３，６    糸通し孔
４，７    錘
５    収容部
６    糸通し孔
７    錘
１０    釣り用仕掛け
１１    道糸（釣り糸）
１２    浮き止め糸
１３    シモリ玉
１４    当たり浮き
１５    クッション（Ｏクッション）
１６    水中浮き
１７    クッション（Ｔクッション）
１８    サルカン
１９    ハリス
２０    釣り針
２１    ガン玉
２２    ウキゴム
２３    からまん棒
【図１】
2004187558.tif 000003
【図２】
2004187558.tif 000004
【図３】
2004187558.tif 000005
【図４】
2004187558.tif 000006
【図５】
2004187558.tif 000007